【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
ユーザ識別情報の入力を受け付ける入力手段と、
ワークフローが登録されたコンピュータ装置に対して、前記ユーザ識別情報と自機の識別情報とを指定して、ワークフローの要求を行い、前記ユーザ識別情報と自機の識別情報とに対応するワークフローを一覧表示する表示手段と、
前記一覧表示されたワークフローの選択を受け付ける選択手段と、
前記選択されたワークフローを実行する実行手段とを備える、画像形成装置。
【請求項２】
前記表示手段は、前記選択されたワークフローの処理内容を表示する、請求項１に記載の画像形成装置。
【請求項３】
画像形成装置によって実行されるワークフロー実行方法であって、
ユーザ識別情報の入力を受け付ける入力ステップと、
ワークフローが登録されたコンピュータ装置に対して、前記ユーザ識別情報と自機の識別情報とを指定して、ワークフローの要求を行い、前記ユーザ識別情報と自機の識別情報とに対応するワークフローを一覧表示する表示ステップと、
前記一覧表示されたワークフローの選択を受け付ける選択ステップと、
前記選択されたワークフローを実行する実行ステップとを含む、ワークフロー実行方法。
【請求項４】
前記表示ステップは、前記選択されたワークフローの処理内容を表示する、請求項３に記載のワークフロー実行方法。
【請求項５】
画像形成装置を制御するコンピュータに、
ユーザ識別情報の入力を受け付ける入力ステップと、
ワークフローが登録されたコンピュータ装置に対して、前記ユーザ識別情報と自機の識別情報とを指定して、ワークフローの要求を行い、前記ユーザ識別情報と自機の識別情報とに対応するワークフローを一覧表示する表示ステップと、
前記一覧表示されたワークフローの選択を受け付ける選択ステップと、
前記選択されたワークフローを実行する実行ステップとを実行させる、画像形成装置の制御プログラム。
【請求項６】
前記表示ステップは、前記選択されたワークフローの処理内容を表示する、請求項５に記載の画像形成装置の制御プログラム。
【請求項７】
ワークフローが登録されたコンピュータ装置と前記ワークフローを実行する画像形成装置とを備えるワークフロー実行システムであって、
前記画像形成装置は、
ユーザ識別情報の入力を受け付ける入力手段と、
ワークフローが登録されたコンピュータ装置に対して、前記ユーザ識別情報と自機の識別情報とを指定して、ワークフローの要求を行い、前記ユーザ識別情報と自機の識別情報とに対応するワークフローを一覧表示する表示手段と、
前記一覧表示されたワークフローの選択を受け付ける選択手段と、
前記選択されたワークフローを実行する実行手段とを含む、ワークフロー実行システム。
【請求項８】
前記表示手段は、前記選択されたワークフローの処理内容を表示する、請求項７に記載のワークフロー実行システム。
【請求項９】
ワークフローが登録されたコンピュータ装置と前記ワークフローを実行する画像形成装置とを含むワークフロー実行システムによって実行されるワークフロー実行方法であって、
前記画像形成装置において、ユーザ識別情報の入力を受け付ける入力ステップと、
前記画像形成装置が、ワークフローが登録されたコンピュータ装置に対して、前記ユーザ識別情報と自機の識別情報とを指定して、ワークフローの要求を行い、前記ユーザ識別情報と自機の識別情報とに対応するワークフローを一覧表示する表示ステップと、
前記画像形成装置において、前記一覧表示されたワークフローの選択を受け付ける選択ステップと、
前記画像形成装置が、前記選択されたワークフローを実行する実行ステップとを含む、ワークフロー実行方法。
【請求項１０】
前記表示ステップは、前記選択されたワークフローの処理内容を表示する、請求項９に記載のワークフロー実行方法。
【手続補正２】
【補正対象書類名】明細書
【補正対象項目名】発明の名称
【補正方法】変更
【補正の内容】
【発明の名称】画像形成装置、ワークフロー実行方法、画像形成装置の制御プログラムおよびワークフロー実行システム
【手続補正３】
【補正対象書類名】明細書
【補正対象項目名】０００１
【補正方法】変更
【補正の内容】
【０００１】
この発明は画像形成装置、ワークフロー実行方法、画像形成装置の制御プログラムおよびワークフローシステムに関し、特にワークフロー仕様の実行が可能な画像形成装置、ワークフロー実行方法、画像形成装置の制御プログラムおよびワークフロー実行システムに関する。
【手続補正４】
【補正対象書類名】明細書
【補正対象項目名】００２０
【補正方法】変更
【補正の内容】
【００２０】
この発明は上記問題点を解決するためになされたものであり、ワークフロー仕様の実行が可能でありユーザの使い勝手の良い画像形成装置、ワークフロー実行方法、画像形成装置の制御プログラムおよびワークフロー実行システムを提供することを目的としている。
【手続補正５】
【補正対象書類名】明細書
【補正対象項目名】００２１
【補正方法】変更
【補正の内容】
【００２１】
上記目的を達成するためこの発明のある局面に従う画像形成装置は、ユーザ識別情報の入力を受け付ける入力手段と、ワークフローが登録されたコンピュータ装置に対して、ユーザ識別情報と自機の識別情報とを指定して、ワークフローの要求を行い、ユーザ識別情報と自機の識別情報とに対応するワークフローを一覧表示する表示手段と、一覧表示されたワークフローの選択を受け付ける選択手段と、選択されたワークフローを実行する実行手段とを備える。
【手続補正６】
【補正対象書類名】明細書
【補正対象項目名】００２２
【補正方法】変更
【補正の内容】
【００２２】
好ましくは、表示手段は、選択されたワークフローの処理内容を表示する。
【手続補正７】
【補正対象書類名】明細書
【補正対象項目名】００２３
【補正方法】変更
【補正の内容】
【００２３】
この発明の別の局面に従うワークフロー実行方法は、画像形成装置によって実行されるワークフロー実行方法であって、ユーザ識別情報の入力を受け付ける入力ステップと、ワークフローが登録されたコンピュータ装置に対して、ユーザ識別情報と自機の識別情報とを指定して、ワークフローの要求を行い、ユーザ識別情報と自機の識別情報とに対応するワークフローを一覧表示する表示ステップと、一覧表示されたワークフローの選択を受け付ける選択ステップと、選択されたワークフローを実行する実行ステップとを含む。
【手続補正８】
【補正対象書類名】明細書
【補正対象項目名】００２４
【補正方法】変更
【補正の内容】
【００２４】
好ましくは、表示ステップは、選択されたワークフローの処理内容を表示する。
【手続補正９】
【補正対象書類名】明細書
【補正対象項目名】００２５
【補正方法】変更
【補正の内容】
【００２５】
この発明のさらに別の局面に従う画像形成装置の制御プログラムは、画像形成装置を制御するコンピュータに、ユーザ識別情報の入力を受け付ける入力ステップと、ワークフローが登録されたコンピュータ装置に対して、ユーザ識別情報と自機の識別情報とを指定して、ワークフローの要求を行い、ユーザ識別情報と自機の識別情報とに対応するワークフローを一覧表示する表示ステップと、一覧表示されたワークフローの選択を受け付ける選択ステップと、選択されたワークフローを実行する実行ステップとを実行させる。
【手続補正１０】
【補正対象書類名】明細書
【補正対象項目名】００２６
【補正方法】変更
【補正の内容】
【００２６】
好ましくは、表示ステップは、選択されたワークフローの処理内容を表示する。
【手続補正１１】
【補正対象書類名】明細書
【補正対象項目名】００２７
【補正方法】変更
【補正の内容】
【００２７】
この発明のさらに別の局面に従うワークフロー実行システムは、ワークフローが登録されたコンピュータ装置とワークフローを実行する画像形成装置とを備えるワークフロー実行システムであって、画像形成装置は、ユーザ識別情報の入力を受け付ける入力手段と、ワークフローが登録されたコンピュータ装置に対して、ユーザ識別情報と自機の識別情報とを指定して、ワークフローの要求を行い、ユーザ識別情報と自機の識別情報とに対応するワークフローを一覧表示する表示手段と、一覧表示されたワークフローの選択を受け付ける選択手段と、選択されたワークフローを実行する実行手段とを含む。
好ましくは、表示手段は、選択されたワークフローの処理内容を表示する。
この発明のさらに別の局面に従うワークフロー実行方法は、ワークフローが登録されたコンピュータ装置とワークフローを実行する画像形成装置とを含むワークフロー実行システムによって実行されるワークフロー実行方法であって、画像形成装置において、ユーザ識別情報の入力を受け付ける入力ステップと、画像形成装置が、ワークフローが登録されたコンピュータ装置に対して、ユーザ識別情報と自機の識別情報とを指定して、ワークフローの要求を行い、ユーザ識別情報と自機の識別情報とに対応するワークフローを一覧表示する表示ステップと、画像形成装置において、一覧表示されたワークフローの選択を受け付ける選択ステップと、画像形成装置が、選択されたワークフローを実行する実行ステップとを含む。
好ましくは、表示ステップは、選択されたワークフローの処理内容を表示する。
【手続補正１２】
【補正対象書類名】明細書
【補正対象項目名】００２８
【補正方法】変更
【補正の内容】
【００２８】
これらの発明に従うと、画像形成装置において、ユーザ識別情報の入力により、ワークフローの要求を行い、ワークフローを一覧表示してユーザに提示し、選択することにより、ワークフローを実行することができるため、ワークフロー仕様の実行が可能でありユーザの使い勝手の良い、画像形成装置、ワークフロー実行方法および画像形成装置の制御プログラムおよびワークフロー実行システムを提供することができる。